(57)【特許請求の範囲】
【請求項１】
物体側から順に、第１群と、正パワーを有する第２群と、からなり、
前記第１群が、物体側から順に、負パワーを有する第１レンズと、負パワーを有する第２レンズと、正パワーを有する第３レンズと、負パワーを有する第４レンズと、正パワーを有する第５レンズと、で構成され、
前記第３レンズと前記第４レンズとで接合レンズが構成され、
前記第１群の位置を固定した状態で前記第２群を物体側に移動させることにより、近距離物体へのフォーカシングを行い、
以下の条件式（１）〜（３）を満足することを特徴とする広角レンズ；
−０．２＜φ１／φ＜０．１  …（１）
０．４５＜φ２／φ  …（２）
０．５＜ｔ／ｆ＜０．９  …（３）
ただし、
φ１：第１群のパワー、
φ２：第２群のパワー、
φ：全系のパワー、
ｔ：第２レンズと第３レンズとの間隔、
ｆ：全系の焦点距離、
である。
【請求項２】
以下の条件式（４）を満足することを特徴とする請求項１記載の広角レンズ；
−１＜ｆ１ａ／ｆ１ｂ＜−０．１  …（４）
ただし、前記第１群内で最も広いレンズ間隔を境界として前記第１群を２つのレンズ群に分けたとき、その物体側のレンズ群を前群とし、像側のレンズ群を後群とすると、
ｆ１ａ：前群の焦点距離、
ｆ１ｂ：後群の焦点距離、
である。
【請求項３】
以下の条件式（５）を満足することを特徴とする請求項１又は２記載の広角レンズ；
１＜ｆ１ｓ／ｆ＜５  …（５）
ただし、
ｆ１ｓ：第３レンズと第４レンズからなる接合レンズの焦点距離、
ｆ：全系の焦点距離、
である。
【請求項４】
以下の条件式（６）を満足することを特徴とする請求項１〜３のいずれか１項に記載の広角レンズ；
−３＜ｒ１ｓ／ｆ＜−０．９  …（６）
ただし、
ｒ１ｓ：第３レンズと第４レンズからなる接合レンズの接合面の曲率半径、
ｆ：全系の焦点距離、
である。
【請求項５】
以下の条件式（７）を満足することを特徴とする請求項１〜４のいずれか１項に記載の広角レンズ；
１．７２＜Ｎｄｍａｘ  …（７）
ただし、
Ｎｄｍａｘ：第３レンズと第４レンズからなる接合レンズにおいて最も高いｄ線基準の屈折率、
である。
【請求項６】
前記第１群内の少なくとも１枚の負レンズが非球面を有することを特徴とする請求項１〜５のいずれか１項に記載の広角レンズ。
【請求項７】
前記第２群内に開口絞りを有し、その開口絞りの前後にレンズが位置することを特徴とする請求項１〜６のいずれか１項に記載の広角レンズ。
【請求項８】
開口絞りより像側に以下の条件式（８）を満足する正レンズを１枚以上有することを特徴とする請求項１〜７のいずれか１項に記載の広角レンズ；
６０＜νｄ  …（８）
ただし、
νｄ：アッべ数、
である。
【請求項９】
開口絞りより像側に接合レンズを少なくとも１枚含むことを特徴とする請求項１〜８のいずれか１項に記載の広角レンズ。
【請求項１０】
前記第２群内に開口絞りを有し、その開口絞りより像側に非球面を少なくとも１面有することを特徴とする請求項１〜９のいずれか１項に記載の広角レンズ。
【請求項１１】
請求項１〜１０のいずれか１項に記載の広角レンズと、撮像面上に形成された光学像を電気的な信号に変換する撮像素子と、を備え、前記撮像素子の撮像面上に被写体の光学像が形成されるように前記広角レンズが設けられていることを特徴とする撮像光学装置。
【請求項１２】
請求項１１記載の撮像光学装置を備えることにより、被写体の静止画撮影，動画撮影のうちの少なくとも一方の機能が付加されたことを特徴とするデジタル機器。
【発明の詳細な説明】
【技術分野】
【０００１】
本発明は広角レンズ，撮像光学装置及びデジタル機器に関するものであり、更に詳しくは、被写体の映像を撮像素子（例えば、ＣＣＤ(Charge Coupled Device)型イメージセンサー，ＣＭＯＳ(Complementary Metal-Oxide Semiconductor)型イメージセンサー等の固体撮像素子）で取り込むレンズ交換式デジタルカメラに適したコンパクトで大口径の広角レンズと、その広角レンズ及び撮像素子で取り込んだ被写体の映像を電気的な信号として出力する撮像光学装置と、その撮像光学装置を搭載したデジタルカメラ等の画像入力機能付きデジタル機器と、に関するものである。
【背景技術】
【０００２】
近年、レンズ交換式カメラとしてデジタルカメラが一般的になっている。デジタルカメラでは、ユーザーがモニターで等倍の撮影画像を見ることが可能であるため、ＭＴＦ(Modulation Transfer Function)性能の向上や色収差の低減がより一層求められるようになってきている。しかも、Ｆ値：２以下の大口径で撮影画角２ω：７０度以上に広角化された交換レンズが求められている。こういった要求に応えるため、レンズ交換式デジタルカメラ用の交換レンズとしての広角レンズが、特許文献１，２で提案されている。
【先行技術文献】
【特許文献】
【０００３】
【特許文献１】特開平０５−０３４５９２号公報
【特許文献２】特開平１１−２１１９７８号公報
【発明の概要】
【発明が解決しようとする課題】
【０００４】
特許文献１で提案されている広角レンズは、広い画角を実現する一方で、歪曲収差等が補正不足であり、Ｆ値は２．８程度である。また、特許文献２で提案されている広角レンズは、１．４程度の明るいＦ値を実現しているものの、撮影画角２ωは６５度程度と狭いものとなっている。
【０００５】
本発明はこのような状況に鑑みてなされたものであって、その目的は、撮影画角２ω：７０度を超える広い画角と明るいＦ値を実現しながら歪曲収差を抑え、画像全体で均一な画質が得られる小型の広角レンズ，それを備えた撮像光学装置及びデジタル機器を提供することにある。
【課題を解決するための手段】
【０００６】
上記目的を達成するために、第１の発明の広角レンズは、物体側から順に、第１群と、正パワーを有する第２群と、からなり、
前記第１群が、物体側から順に、負パワーを有する第１レンズと、負パワーを有する第２レンズと、正パワーを有する第３レンズと、負パワーを有する第４レンズと、正パワーを有する第５レンズと、で構成され、
前記第３レンズと前記第４レンズとで接合レンズが構成され、
前記第１群の位置を固定した状態で前記第２群を物体側に移動させることにより、近距離物体へのフォーカシングを行い、
以下の条件式（１）〜（３）を満足することを特徴とする。
−０．２＜φ１／φ＜０．１  …（１）
０．４５＜φ２／φ  …（２）
０．５＜ｔ／ｆ＜０．９  …（３）
ただし、
φ１：第１群のパワー、
φ２：第２群のパワー、
φ：全系のパワー、
ｔ：第２レンズと第３レンズとの間隔、
ｆ：全系の焦点距離、
である。
【０００８】
第２の発明の広角レンズは、上記第１の発明において、以下の条件式（４）を満足することを特徴とする。
−１＜ｆ１ａ／ｆ１ｂ＜−０．１  …（４）
ただし、前記第１群内で最も広いレンズ間隔を境界として前記第１群を２つのレンズ群に分けたとき、その物体側のレンズ群を前群とし、像側のレンズ群を後群とすると、
ｆ１ａ：前群の焦点距離、
ｆ１ｂ：後群の焦点距離、
である。
【０００９】
第３の発明の広角レンズは、上記第１又は第２の発明において、以下の条件式（５）を満足することを特徴とする。
１＜ｆ１ｓ／ｆ＜５  …（５）
ただし、
ｆ１ｓ：第３レンズと第４レンズからなる接合レンズの焦点距離、
ｆ：全系の焦点距離、
である。
【００１０】
第４の発明の広角レンズは、上記第１〜第３のいずれか１つの発明において、以下の条件式（６）を満足することを特徴とする。
−３＜ｒ１ｓ／ｆ＜−０．９  …（６）
ただし、
ｒ１ｓ：第３レンズと第４レンズからなる接合レンズの接合面の曲率半径、
ｆ：全系の焦点距離、
である。
【００１１】
第５の発明の広角レンズは、上記第１〜第４のいずれか１つの発明において、以下の条件式（７）を満足することを特徴とする。
１．７２＜Ｎｄｍａｘ  …（７）
ただし、
Ｎｄｍａｘ：第３レンズと第４レンズからなる接合レンズにおいて最も高いｄ線基準の屈折率、
である。
【００１２】
第６の発明の広角レンズは、上記第１〜第５のいずれか１つの発明において、前記第１群内の少なくとも１枚の負レンズが非球面を有することを特徴とする。
【００１３】
第７の発明の広角レンズは、上記第１〜第６のいずれか１つの発明において、前記第２群内に開口絞りを有し、その開口絞りの前後にレンズが位置することを特徴とする。
【００１４】
第８の発明の広角レンズは、上記第１〜第７のいずれか１つの発明において、開口絞りより像側に以下の条件式（８）を満足する正レンズを１枚以上有することを特徴とする。
６０＜νｄ  …（８）
ただし、
νｄ：アッべ数、
である。
【００１５】
第９の発明の広角レンズは、上記第１〜第８のいずれか１つの発明において、開口絞りより像側に接合レンズを少なくとも１枚含むことを特徴とする。
【００１６】
第１０の発明の広角レンズは、上記第１〜第９のいずれか１つの発明において、前記第２群内に開口絞りを有し、その開口絞りより像側に非球面を少なくとも１面有することを特徴とする。
【００１７】
第１１の発明の撮像光学装置は、上記第１〜第１０のいずれか１つの発明に係る広角レンズと、撮像面上に形成された光学像を電気的な信号に変換する撮像素子と、を備え、前記撮像素子の撮像面上に被写体の光学像が形成されるように前記広角レンズが設けられていることを特徴とする。
【００１８】
第１２の発明のデジタル機器は、上記第１１の発明に係る撮像光学装置を備えることにより、被写体の静止画撮影，動画撮影のうちの少なくとも一方の機能が付加されたことを特徴とする。
【発明の効果】
【００１９】
本発明によれば、撮影画角２ω：７０度を超える広い画角と明るいＦ値を実現しながら歪曲収差を抑え、画像全体で均一な画質が得られる小型の広角レンズ及び撮像光学装置を実現することができる。その広角レンズ又は撮像光学装置をデジタル機器（例えばデジタルカメラ）に用いることによって、デジタル機器に対して高性能の画像入力機能をコンパクトに付加することが可能となる。
【図面の簡単な説明】
【００２０】
【図１】第１の実施の形態（実施例１）のレンズ構成図。
【図２】第２の実施の形態（実施例２）のレンズ構成図。
【図３】第３の実施の形態（実施例３）のレンズ構成図。
【図４】第４の実施の形態（実施例４）のレンズ構成図。
【図５】第５の実施の形態（実施例５）のレンズ構成図。
【図６】第６の実施の形態（実施例６）のレンズ構成図。
【図７】実施例１の縦収差図。
【図８】実施例２の縦収差図。
【図９】実施例３の縦収差図。
【図１０】実施例４の縦収差図。
【図１１】実施例５の縦収差図。
【図１２】実施例６の縦収差図。
【図１３】実施例１の横収差図。
【図１４】実施例２の横収差図。
【図１５】実施例３の横収差図。
【図１６】実施例４の横収差図。
【図１７】実施例５の横収差図。
【図１８】実施例６の横収差図。
【図１９】非球面形状の具体例を示すグラフ。
【図２０】撮像光学装置を搭載したデジタル機器の概略構成例を示す模式図。
【発明を実施するための形態】
【００２１】
以下、本発明の実施形態に係る広角レンズ，撮像光学装置及びデジタル機器を説明する。本発明の実施形態に係る広角レンズは、物体側から順に、第１群と、正パワーを有する第２群と、からなり（パワー：焦点距離の逆数で定義される量）、前記第１群が、物体側から順に、負パワーを有する第１レンズと、負パワーを有する第２レンズと、正パワーを有する第３レンズと、負パワーを有する第４レンズと、正パワーを有する第５レンズと、で構成され、前記第３レンズと前記第４レンズとで接合レンズが構成され、前記第１群の位置を固定した状態で前記第２群を物体側に移動させることにより、近距離物体へのフォーカシングを行い、以下の条件式（１）及び（２）を満足することを特徴としている。
−０．２＜φ１／φ＜０．１  …（１）
０．４５＜φ２／φ  …（２）
ただし、
φ１：第１群のパワー、
φ２：第２群のパワー、
φ：全系のパワー、
である。
【００２２】
第１群は、上記のように、物体側から順に負負正負正のパワーを有する５枚のレンズで構成されており、そのうち正パワーの第３レンズと負パワーの第４レンズとで接合レンズが構成されている。第１群内のレンズを物体側から順に負負正負のパワー配置とすることで、広角であっても前玉径を小型化しつつ、歪曲を小さくすることができ、第１群の最終レンズとして正レンズを配置することで、第２群の小径化も実現することができる。また、第３，第４レンズで正負の接合レンズを構成することにより、倍率色収差の低減が可能となる。なお、光軸上の厚さが１ｍｍ以下の樹脂層は、上記接合レンズを構成するものではない。したがって、レンズを形成する材料として樹脂が芯厚１ｍｍ以下でレンズ面に形成されたレンズ（例えば、複合型非球面レンズ）は１枚のレンズとして考えるものとする。
【００２３】
また、全系のパワーに対する第１群のパワーを規定しているのが条件式（１）であるが、条件式（１）の上限を下回ると、全系の焦点距離に比して長いレンズバックを確保することができる。ここでいう長いレンズバックとは、以下の条件式（０）を満足するものである。さらに、条件式（１）の上限を下回ると、第１群から射出される軸上光束が略平行光となるため、フォーカス時の収差変動を低減することができる。特に球面収差の変動を低減することができる。
ＢＦ／ｆ＞１．４  …（０）
ただし、
ＢＦ：バックフォーカス、
ｆ：全系の焦点距離、
である。
【００２４】
一方、条件式（１）の下限を上回ることで、第１群の負のパワーが強くなりすぎないようにして、球面収差を始めとする諸収差の発生を低減することができる。特に歪曲収差の発生を低減することができる。さらに、条件式（１）の下限を上回ると、第１群から射出される軸上光束が略平行光となるため、フォーカス時の収差変動を低減することができる。特に球面収差の変動を低減することができる。
【００２５】
また、第１群に後続する第２群の最適なパワーを規定しているのが条件式（２）であるが、条件式（２）の下限を上回ることで、第２群のパワーが弱くなりすぎないようにして、フォーカス時の移動量を低減することができる。その結果、レンズ系の小型化を達成することができる。以上のことから、広い画角でありながら歪曲収差が小さく、画面中心から画面周辺まで均一な画質と小型化を達成することができる。
【００２６】
つまり上記特徴的構成によると、撮影画角２ω：７０度を超える広い画角と明るいＦ値を実現しながら歪曲収差を抑え、画像全体で均一な画質が得られる小型の広角レンズ及びそれを備えた撮像光学装置を実現することができる。その広角レンズ又は撮像光学装置をデジタル機器（例えばデジタルカメラ）に用いることによって、デジタル機器に対して高性能の画像入力機能を軽量・コンパクトに付加することが可能となり、デジタル機器のコンパクト化，低コスト化，高性能化，高機能化等に寄与することができる。例えば、本発明に係る広角レンズは、デジタルカメラ用・ビデオカメラ用の交換レンズとして好適であるため、持ち運びに便利な軽量・小型の交換レンズを実現することができる。こういった効果をバランス良く得るとともに、更に高い光学性能，軽量・小型化等を達成するための条件等を以下に説明する。
【００２７】
以下の条件式（１ａ）を満足することが更に望ましい。
−０．１＜φ１／φ＜０．１  …（１ａ）
この条件式（１ａ）は、前記条件式（１）が規定している条件範囲のなかでも、前記観点等に基づいた更に好ましい条件範囲を規定している。したがって、好ましくは条件式（１ａ）を満たすことにより、上記効果をより一層大きくすることができる。
【００２８】
以下の条件式（２ａ）を満足することが更に望ましい。
０．５＜φ２／φ＜０．７  …（２ａ）
この条件式（２ａ）は、前記条件式（２）が規定している条件範囲のなかでも、前記観点等に基づいた更に好ましい条件範囲を規定している。したがって、好ましくは条件式（２ａ）を満たすことにより、上記効果をより一層大きくすることができる。つまり、条件式（２ａ）の下限を上回ると、フォーカス時の移動量をより一層低減することができ、小型化が可能になる。さらに、条件式（２ａ）の上限を下回ると、第２群のパワーが強くなりすぎないようにして、フォーカス群の偏芯感度を低減し、フォーカス時の収差変動（像面湾曲等の変動）による性能劣化を防止することができる。
【００２９】
以下の条件式（３）を満足することが望ましい。
０．５＜ｔ／ｆ＜０．９  …（３）
ただし、
ｔ：第２レンズと第３レンズとの間隔、
ｆ：全系の焦点距離、
である。
【００３０】
条件式（３）の上限を下回ることで、歪曲収差やコマ収差を効果的に補正することができるとともに、第１レンズと第２レンズの径を抑えることができ、レンズ系の小型化が可能となる。一方、条件式（３）の下限を上回ることで、負パワーの第２レンズと正パワーの第３レンズの主点位置を離して、個々のレンズのパワーを低減することができ、諸収差の発生を低減することが可能となる。
【００３１】
以下の条件式（４）を満足することが望ましい。
−１＜ｆ１ａ／ｆ１ｂ＜−０．１  …（４）
ただし、前記第１群内で最も広いレンズ間隔を境界として前記第１群を２つのレンズ群に分けたとき、その物体側のレンズ群を前群とし、像側のレンズ群を後群とすると、
ｆ１ａ：前群の焦点距離、
ｆ１ｂ：後群の焦点距離、
である。
【００３２】
第１群内の適切なパワー配置を規定しているのが条件式（４）であるが、条件式（４）の上限を下回ることで、前群で発生した歪曲収差を後群で効果的に補正することが可能となる。一方、条件式（４）の下限を上回ることで、球面収差，歪曲収差等を低減することが可能となる。
【００３３】
以下の条件式（５）を満足することが望ましい。
１＜ｆ１ｓ／ｆ＜５  …（５）
ただし、
ｆ１ｓ：第３レンズと第４レンズからなる接合レンズの焦点距離、
ｆ：全系の焦点距離、
である。
【００３４】
条件式（５）の上限を下回ると、ｄ線に対するｇ線の補正不足を防止して倍率色収差を低減するとともに、上側マージナル光線のコマ収差を効果的に補正することが可能になる。一方、条件式（５）の下限を上回ると、バックフォーカスの確保が容易になり、さらに、ｄ線に対するｇ線の過補正を防止して倍率色収差の悪化を防止するとともに、下側マージナル光線のコマ収差の悪化を防止することが可能になる。
【００３５】
以下の条件式（６）を満足することが望ましい。
−３＜ｒ１ｓ／ｆ＜−０．９  …（６）
ただし、
ｒ１ｓ：第３レンズと第４レンズからなる接合レンズの接合面の曲率半径、
ｆ：全系の焦点距離、
である。
【００３６】
条件式（６）の上限を下回ることで、下側マージナル光線のコマ収差が悪化するのを防止することができる。一方、条件式（６）の下限を上回ることで、上側マージナル光線のコマ収差を効果的に補正することができる。
【００３７】
以下の条件式（７）を満足することが望ましい。
１．７２＜Ｎｄｍａｘ  …（７）
ただし、
Ｎｄｍａｘ：第３レンズと第４レンズからなる接合レンズにおいて最も高いｄ線基準の屈折率、
である。
【００３８】
条件式（７）の下限を上回ることで、レンズの曲率を緩めることができるので、球面収差の発生を効果的に低減することが可能となる。また、接合レンズを構成する第３レンズと第４レンズは、２枚とも条件式（７）を満足することが更に望ましい
【００３９】
以下の条件式（７ａ）を満足することが更に望ましい。
１．８５＜Ｎｄｍａｘ  …（７ａ）
この条件式（７ａ）は、前記条件式（７）が規定している条件範囲のなかでも、前記観点等に基づいた更に好ましい条件範囲を規定している。したがって、好ましくは条件式（７ａ）を満たすことにより、上記効果をより一層大きくすることができる。つまり、条件式（７ａ）を満たすことにより、球面収差の発生をより一層効果的に低減することができる。
【００４０】
前記第１群内の少なくとも１枚の負レンズが非球面を有することが望ましい。第１群内に負レンズを配置することで広角化が可能となるが、その一方で、大きな歪曲収差が発生して問題となるおそれがある。そこで、第１群内の負レンズに非球面を設ければ、負レンズで発生する歪曲収差を効果的に補正することができるようになる。効果的に歪曲収差の補正を行うために、上記非球面は、近軸曲率半径で表される形状に対し、光軸中心から離れるにつれてパワーが弱くなる形状を有することが望ましい。その一例を図１９（Ａ）に示す。点線Ｒ０は近軸曲率半径（後述する実施例中の曲率半径ｒに相当する。）を有する基準球面の形状を示しており、実線Ｒ＊は非球面係数を含めた非球面の実形状を示している。
【００４１】
前記第２群内に開口絞りを有し、その開口絞りの前後にレンズが位置することが望ましい。このように構成すれば、フォーカス群である第２群の光学的有効径を低減させることができて小型化が可能となる。また、このことによりフォーカス時の静音化や高速化が可能となる。
【００４２】
開口絞りより像側に以下の条件式（８）を満足する正レンズを１枚以上有することが望ましい。
６０＜νｄ  …（８）
ただし、
νｄ：アッべ数、
である。
【００４３】
条件式（８）の下限を上回ることで、色収差の過大な発生を効果的に防止することができる。また、開口絞りより像側に条件式（８）を満足する正レンズを２枚以上有することが更に望ましい。それにより、色収差の発生をより一層効果的に低減することができる。
【００４４】
以下の条件式（８ａ）を満足することが更に望ましい。
７０＜νｄ  …（８ａ）
この条件式（８ａ）は、前記条件式（８）が規定している条件範囲のなかでも、前記観点等に基づいた更に好ましい条件範囲を規定している。したがって、好ましくは条件式（８ａ）を満たすことにより、上記効果をより一層大きくすることができる。つまり、条件式（８ａ）を満たすことにより、色収差の発生をより一層効果的に低減することができる。
【００４５】
開口絞りより像側に接合レンズを少なくとも１枚含むことが望ましい。このように構成すれば、色収差の発生を低減することができる。また、開口絞りより像側に接合レンズを少なくとも２枚含むことが更に望ましい。それにより、色収差の発生をより一層効果的に低減することができる。
【００４６】
前記第２群内に開口絞りを有し、その開口絞りより像側に非球面を少なくとも１面有することが望ましい。このように構成すれば、開口絞りより物体側で発生した球面収差やコマ収差を非球面で効果的に補正することが可能となる。効果的に球面収差やコマ収差の補正を行うために、上記非球面は、近軸曲率半径で表される形状に対し、光軸中心から離れるにつれてパワーが強くなる形状を有することが望ましい。その一例を図１９（Ｂ）に示す。点線Ｒ０は近軸曲率半径（後述する実施例中の曲率半径ｒに相当する。）を有する基準球面の形状を示しており、実線Ｒ＊は非球面係数を含めた非球面の実形状を示している。
【００４７】
本発明の実施形態に係る広角レンズは、画像入力機能付きデジタル機器（例えば、レンズ交換式デジタルカメラ）用の撮像レンズとしての使用に適しており、これを撮像素子等と組み合わせることにより、被写体の映像を光学的に取り込んで電気的な信号として出力する撮像光学装置を構成することができる。撮像光学装置は、被写体の静止画撮影や動画撮影に用いられるカメラの主たる構成要素を成す光学装置であり、例えば、物体（すなわち被写体）側から順に、物体の光学像を形成する広角レンズと、その広角レンズにより形成された光学像を電気的な信号に変換する撮像素子と、を備えることにより構成される。そして、撮像素子の受光面（すなわち撮像面）上に被写体の光学像が形成されるように、前述した特徴的構成を有する広角レンズが配置されることにより、小型・低コストで高い性能を有する撮像光学装置やそれを備えたデジタル機器を実現することができる。
【００４８】
画像入力機能付きデジタル機器の例としては、デジタルカメラ，ビデオカメラ，監視カメラ，防犯カメラ，車載カメラ，テレビ電話用カメラ等のカメラが挙げられる。また、パーソナルコンピューター，携帯用デジタル機器（例えば、携帯電話，スマートフォン（高機能携帯電話），タブレット端末，モバイルコンピューター等），これらの周辺機器（スキャナー，プリンター，マウス等），その他のデジタル機器（ドライブレコーダー，防衛機器等）等に内蔵又は外付けによりカメラ機能が搭載されたものが挙げられる。これらの例から分かるように、撮像光学装置を用いることによりカメラを構成することができるだけでなく、各種機器に撮像光学装置を搭載することによりカメラ機能を付加することが可能である。例えば、カメラ付き携帯電話等の画像入力機能付きデジタル機器を構成することが可能である。
【００４９】
図２０に、画像入力機能付きデジタル機器の一例として、デジタル機器ＤＵの概略構成例を模式的断面で示す。図２０に示すデジタル機器ＤＵに搭載されている撮像光学装置ＬＵは、物体（すなわち被写体）側から順に、物体の光学像（像面）ＩＭを形成する広角レンズＬＮ（ＡＸ：光軸）と、広角レンズＬＮにより受光面（撮像面）ＳＳ上に形成された光学像ＩＭを電気的な信号に変換する撮像素子ＳＲと、を備えており、必要に応じて平行平面板（例えば、撮像素子ＳＲのカバーガラス；必要に応じて配置される光学的ローパスフィルター，赤外カットフィルター等の光学フィルター等に相当する。）も配置される。この撮像光学装置ＬＵで画像入力機能付きデジタル機器ＤＵを構成する場合、通常そのボディ内部に撮像光学装置ＬＵを配置することになるが、カメラ機能を実現する際には必要に応じた形態を採用することが可能である。例えば、ユニット化した撮像光学装置ＬＵをデジタル機器ＤＵの本体に対して着脱可能又は回動可能に構成することが可能である。
【００５０】
広角レンズＬＮは、２群構成の広角レンズであり、第１群の位置を固定した状態で正パワーの第２群を光軸ＡＸに沿って物体側に移動させることにより、近距離物体へのフォーカシングを行い、撮像素子ＳＲの受光面ＳＳ上に光学像ＩＭを形成する構成になっている。撮像素子ＳＲとしては、例えば複数の画素を有するＣＣＤ型イメージセンサー，ＣＭＯＳ型イメージセンサー等の固体撮像素子が用いられる。広角レンズＬＮは、撮像素子ＳＲの光電変換部である受光面ＳＳ上に被写体の光学像ＩＭが形成されるように設けられているので、広角レンズＬＮによって形成された光学像ＩＭは、撮像素子ＳＲによって電気的な信号に変換される。
【００５１】
デジタル機器ＤＵは、撮像光学装置ＬＵの他に、信号処理部１，制御部２，メモリー３，操作部４，表示部５等を備えている。撮像素子ＳＲで生成した信号は、信号処理部１で所定のデジタル画像処理や画像圧縮処理等が必要に応じて施され、デジタル映像信号としてメモリー３（半導体メモリー，光ディスク等）に記録されたり、場合によってはケーブルを介したり赤外線信号等に変換されたりして他の機器に伝送される（例えば携帯電話の通信機能）。制御部２はマイクロコンピューターからなっており、撮影機能（静止画撮影機能，動画撮影機能等），画像再生機能等の機能の制御；フォーカシング，手ぶれ補正等のためのレンズ移動機構の制御等を集中的に行う。例えば、被写体の静止画撮影，動画撮影のうちの少なくとも一方を行うように、制御部２により撮像光学装置ＬＵに対する制御が行われる。表示部５は液晶モニター等のディスプレイを含む部分であり、撮像素子ＳＲによって変換された画像信号あるいはメモリー３に記録されている画像情報を用いて画像表示を行う。操作部４は、操作ボタン（例えばレリーズボタン），操作ダイヤル（例えば撮影モードダイヤル）等の操作部材を含む部分であり、操作者が操作入力した情報を制御部２に伝達する。
【００５２】
次に、広角レンズＬＮの第１〜第６の実施の形態を挙げて、その具体的な光学構成を更に詳しく説明する。図１〜図６は、第１〜第６の実施の形態を構成する広角レンズＬＮにそれぞれ対応するレンズ構成図であり、第１フォーカスポジションＰＯＳ１（被写体無限遠状態）でのレンズ配置を光学断面で示している。第１の実施の形態は正正の２群構成、第２〜第６の実施の形態は負正の２群構成になっており、フォーカシング時には、第１群Ｇｒ１の位置を固定した状態で第２群Ｇｒ２が光軸ＡＸに沿って物体側に移動する。つまり、フォーカス群である第２群Ｇｒ２が、無限遠から近距離へのフォーカシングにおいて第１フォーカスポジションＰＯＳ１から第２フォーカスポジションＰＯＳ２（被写体近距離状態）へと、矢印ｍＦで示すように物体側へ移動する。
【００５３】
第１群Ｇｒ１は、物体側から順に、負パワーを有する第１レンズＬ１と、負パワーを有する第２レンズＬ２と、正パワーを有する第３レンズＬ３と、負パワーを有する第４レンズＬ４と、正パワーを有する第５レンズＬ５と、で構成されており（第１〜第５レンズＬ１〜Ｌ５のパワー配置：負負正負正）、第１群Ｇｒ１内で最も広いレンズ間隔を境界として第１群Ｇｒ１を２つのレンズ群に分けたとき、その物体側のレンズ群が前群Ｇｒ１ａであり、像側のレンズ群が後群Ｇｒ１ｂである。第１〜第６の実施の形態では、前群Ｇｒ１ａが負パワーを有しており、後群Ｇｒ１ｂが正パワーを有しており、その前群Ｇｒ１ａと後群Ｇｒ１ｂとのパワー配置を適切に設定することにより、良好な収差補正を可能としている。
【００５４】
第１の実施の形態の広角レンズＬＮ（図１）において、各群は物体側から順に以下のように構成されている。第１群Ｇｒ１のうち、前群Ｇｒ１ａは像側に凹の負メニスカスレンズＬ１と像側に凹の負メニスカスレンズＬ２（像側面が非球面）とで構成されており、後群Ｇｒ１ｂは両凸の正レンズＬ３及び両凹の負レンズＬ４からなる接合レンズＬＳと、物体側に凸の正メニスカスレンズＬ５と、で構成されている。第２群Ｇｒ２は、両凸の正レンズと、像側に凹の負メニスカスレンズと、開口絞りＳＴと、両凹の負レンズ及び両凸の正レンズからなる接合レンズと、像側に凹の負メニスカスレンズ及び両凸の正レンズからなる接合レンズと、像側に凸の正メニスカスレンズ（物体側面が非球面）と、で構成されている。
【００５５】
第２の実施の形態の広角レンズＬＮ（図２）において、各群は物体側から順に以下のように構成されている。第１群Ｇｒ１のうち、前群Ｇｒ１ａは像側に凹の負メニスカスレンズＬ１と像側に凹の負メニスカスレンズＬ２（像側面が非球面）とで構成されており、後群Ｇｒ１ｂは両凸の正レンズＬ３及び両凹の負レンズＬ４からなる接合レンズＬＳと、物体側に凸の正メニスカスレンズＬ５と、で構成されている。第２群Ｇｒ２は、両凸の正レンズと、両凹の負レンズと、開口絞りＳＴと、両凹の負レンズ及び両凸の正レンズからなる接合レンズと、像側に凹の負メニスカスレンズ及び両凸の正レンズからなる接合レンズと、像側に凸の正メニスカスレンズ（物体側面が非球面）と、で構成されている。
【００５６】
第３の実施の形態の広角レンズＬＮ（図３）において、各群は物体側から順に以下のように構成されている。第１群Ｇｒ１のうち、前群Ｇｒ１ａは像側に凹の負メニスカスレンズＬ１と像側に凹の負メニスカスレンズＬ２（像側面が非球面）とで構成されており、後群Ｇｒ１ｂは両凸の正レンズＬ３及び物体側に凹の負メニスカスレンズＬ４からなる接合レンズＬＳと、物体側に凸の正メニスカスレンズＬ５と、で構成されている。第２群Ｇｒ２は、両凸の正レンズと、像側に凹の負メニスカスレンズと、開口絞りＳＴと、両凹の負レンズ及び両凸の正レンズからなる接合レンズと、像側に凹の負メニスカスレンズ及び両凸の正レンズからなる接合レンズと、像側に凸の正メニスカスレンズ（物体側面が非球面）と、で構成されている。
【００５７】
第４の実施の形態の広角レンズＬＮ（図４）において、各群は物体側から順に以下のように構成されている。第１群Ｇｒ１のうち、前群Ｇｒ１ａは像側に凹の負メニスカスレンズＬ１と像側に凹の負メニスカスレンズＬ２（像側面が非球面）とで構成されており、後群Ｇｒ１ｂは両凸の正レンズＬ３及び両凹の負レンズＬ４からなる接合レンズＬＳと、物体側に凸の正メニスカスレンズＬ５と、で構成されている。第２群Ｇｒ２は、両凸の正レンズと、像側に凹の負メニスカスレンズと、開口絞りＳＴと、両凹の負レンズ及び両凸の正レンズからなる接合レンズと、像側に凹の負メニスカスレンズ及び両凸の正レンズからなる接合レンズと、像側に凸の正メニスカスレンズ（物体側面が非球面）と、で構成されている。
【００５８】
第５の実施の形態の広角レンズＬＮ（図５）において、各群は物体側から順に以下のように構成されている。第１群Ｇｒ１のうち、前群Ｇｒ１ａは像側に凹の負メニスカスレンズＬ１と像側に凹の負メニスカスレンズＬ２（像側面が非球面）とで構成されており、後群Ｇｒ１ｂは両凸の正レンズＬ３及び両凹の負レンズＬ４からなる接合レンズＬＳと、物体側に凸の正メニスカスレンズＬ５と、で構成されている。第２群Ｇｒ２は、両凸の正レンズと、両凹の負レンズと、開口絞りＳＴと、両凹の負レンズ及び両凸の正レンズからなる接合レンズと、像側に凹の負メニスカスレンズ及び両凸の正レンズからなる接合レンズと、像側に凸の正メニスカスレンズ（物体側面が非球面）と、で構成されている。
【００５９】
第６の実施の形態の広角レンズＬＮ（図６）において、各群は物体側から順に以下のように構成されている。第１群Ｇｒ１のうち、前群Ｇｒ１ａは像側に凹の負メニスカスレンズＬ１と像側に凹の負メニスカスレンズＬ２（像側面が非球面）とで構成されており、後群Ｇｒ１ｂは両凸の正レンズＬ３及び両凹の負レンズＬ４からなる接合レンズＬＳと、物体側に凸の正メニスカスレンズＬ５と、で構成されている。第２群Ｇｒ２は、両凸の正レンズと、像側に凸の正メニスカスレンズ及び両凹の負レンズからなる接合レンズと、開口絞りＳＴと、物体側に凹の負メニスカスレンズと、像側に凹の負メニスカスレンズ及び両凸の正レンズからなる接合レンズと、像側に凸の正メニスカスレンズ（物体側面が非球面）と、で構成されている。
【実施例】
【００６０】
以下、本発明を実施した広角レンズの構成等を、実施例のコンストラクションデータ等を挙げて更に具体的に説明する。ここで挙げる実施例１〜６（ＥＸ１〜６）は、前述した第１〜第６の実施の形態にそれぞれ対応する数値実施例であり、第１〜第６の実施の形態を表すレンズ構成図（図１〜図６）は、対応する実施例１〜６の光学構成をそれぞれ示している。
【００６１】
各実施例のコンストラクションデータでは、面データとして、左側の欄から順に、面番号ｉ（ＯＢ：物面，ＳＴ：絞り面，ＩＭ：像面），近軸における曲率半径ｒ（ｍｍ），軸上面間隔ｄ（ｍｍ），ｄ線（波長：５８７．５６ｎｍ）に関する屈折率Ｎｄ，及びｄ線に関するアッベ数νｄを示す。なお、フォーカシングにより変化する可変の軸上面間隔ｄｉ（ｉ：面番号，ｍｍ）に関しては、第１フォーカスポジションＰＯＳ１〜第２フォーカスポジションＰＯＳ２のそれぞれについて示す。
【００６２】
面番号ｉに＊が付された面は非球面であり、その面形状は面頂点を原点とするローカルな直交座標系（ｘ，ｙ，ｚ）を用いた以下の式（ＡＳ）で定義される。非球面データとして、非球面係数等を示す。なお、各実施例の非球面データにおいて表記の無い項の係数は０であり、すべてのデータに関してＥ−ｎ＝×１０-nである。
ｚ＝（ｃ・ｈ2）／［１＋√｛１−（１＋Ｋ）・ｃ2・ｈ2｝］＋Σ（Ａｊ・ｈj）  …（ＡＳ）
ただし、
ｈ：ｚ軸（光軸ＡＸ）に対して垂直な方向の高さ（ｈ2＝ｘ2＋ｙ2）、
ｚ：高さｈの位置での光軸ＡＸ方向のサグ量（面頂点基準）、
ｃ：面頂点での曲率（曲率半径ｒの逆数）、
Ｋ：円錐定数、
Ａｊ：ｊ次の非球面係数、
である。
【００６３】
各種データとして、全系の焦点距離ｆ（ｍｍ），Ｆナンバー（Ｆ値）ＦＮＯ．，全画角２ω（°），最大像高ｙ’ｍａｘ（ｍｍ），レンズ全長ＴＬ（ｍｍ），バックフォーカスＢＦ（ｍｍ），第１群Ｇｒ１の焦点距離ｆ１（ｍｍ），第２群Ｇｒ２の焦点距離ｆ２（ｍｍ），前群Ｇｒ１ａの焦点距離ｆ１ａ（ｍｍ），後群Ｇｒ１ｂの焦点距離ｆ１ｂ（ｍｍ），接合レンズＬＳの焦点距離ｆ１ｓ（ｍｍ）を示す。ただし、バックフォーカスＢＦは、レンズ最終面から近軸像面までの距離を空気換算長により表記しており、レンズ全長ＴＬは、レンズ最前面からレンズ最終面までの距離にバックフォーカスＢＦを加えたものである。また、表１に各実施例の条件式対応値を示す。
【００６４】
図７〜図１２は、実施例１〜実施例６（ＥＸ１〜ＥＸ６）にそれぞれ対応する縦収差図であり、（Ａ）〜（Ｃ）は第１フォーカスポジションＰＯＳ１、（Ｄ）〜（Ｆ）は第２フォーカスポジションＰＯＳ２における諸収差をそれぞれ示している。また、図７〜図１２中、（Ａ）と（Ｄ）は球面収差図、（Ｂ）と（Ｅ）は非点収差図、（Ｃ）と（Ｆ）は歪曲収差図である。
【００６５】
球面収差図は、一点鎖線で示すＣ線（波長６５６．２８ｎｍ）に対する球面収差量、実線で示すｄ線（波長５８７．５６ｎｍ）に対する球面収差量、破線で示すｇ線（波長４３５．８４ｎｍ）に対する球面収差量を、それぞれ近軸像面からの光軸ＡＸ方向のズレ量（ｍｍ）で表しており、縦軸はＦ値を表している。非点収差図において、破線Ｍはｄ線に対するメリディオナル像面、実線Ｓはｄ線に対するサジタル像面を、それぞれ近軸像面からの光軸ＡＸ方向のズレ量（ｍｍ）で表しており、縦軸は像高Ｙ’（ｍｍ）を表している。歪曲収差図において、横軸はｄ線に対する歪曲（％）を表しており、縦軸は像高Ｙ’（ｍｍ）を表している。なお、像高Ｙ’は像面ＩＭにおける最大像高ｙ’ｍａｘ（撮像素子ＳＲの受光面ＳＳの対角長の半分）に相当する。
【００６６】
図１３〜図１８は、実施例１〜実施例６（ＥＸ１〜ＥＸ６）にそれぞれ対応する横収差図である。図１３〜図１８のそれぞれにおいて、（Ａ）〜（Ｃ）は第１フォーカスポジションＰＯＳ１における横収差（ｍｍ）、（Ｄ）〜（Ｆ）は第２フォーカスポジションＰＯＳ２における横収差（ｍｍ）を、各像高Ｙ’のメリディオナルコマ収差について示している。
【００６７】
実施例１
単位：mm
面データ
i            r(mm)      d(mm)         Nd        νd
0(OB)           ∞         ∞ 〜98.22
1           50.533       2.70     1.77250      49.6
2           22.501       9.00
3           34.529       1.65     1.61800      63.4
4           22.013       0.04     1.51380      53.0
5*          18.167      18.71
6           71.001       9.67     1.90370      31.3
7          -26.316       1.50     1.76180      26.6
8          105.524       4.45
9           49.499       3.21     1.76180      26.6
10         142.449       7.81 〜2.70
11          36.141       4.76     1.69680      55.5
12        -125.009       0.48
13         205.192       1.00     1.58910      61.3
14          29.097       4.93
15(ST)          ∞       4.09
16         -24.250       1.00     1.75520      27.5
17         109.363       3.34     1.49700      81.6
18         -76.219       0.24
19          42.767       1.00     1.74330      49.2
20          20.438       7.44     1.59280      68.6
21         -48.111       1.69
22*       -740.547       0.10     1.51380      53.0
23        -198.331       4.49     1.61800      63.4
24         -36.041      38.48 〜43.59
25(IM)          ∞
【００６８】
非球面データ
第5面
K=-0.17556E+01
A4= 0.22772E-04
A6=-0.36566E-07
A8= 0.14683E-09
A10=-0.71099E-12
A12= 0.17927E-14
A14=-0.20200E-17
【００６９】
非球面データ
第22面
K= 0.00000E+00
A4=-0.15468E-04
A6= 0.10540E-07
A8=-0.61729E-10
A10= 2.45175E-13
【００７０】
各種データ
f     =    24.50
FNO.  =     1.86
2ω   =     83.9
y'max =     21.6
TL    =   131.78
BF    =    38.48
f1    =   272.20
f2    =    48.13
f1a   =   -28.23
f1b   =    49.72
f1s   =    89.86
【００７１】
実施例２
単位：mm
面データ
i            r(mm)      d(mm)         Nd        νd
0(OB)           ∞         ∞ 〜98.22
1           40.121       3.00     1.77250      49.6
2           22.485       9.60
3           62.830       2.58     1.61800      63.4
4           23.546       0.04     1.51380      53.0
5*          19.595      20.00
6           72.929       8.79     1.90370      31.3
7          -26.316       1.50     1.76180      26.6
8          111.539       0.52
9           58.710       4.16     1.72820      28.3
10         194.625       7.73 〜2.61
11          34.167       5.26     1.69680      55.5
12        -120.990       0.75
13      -16180.045       1.01     1.51820      59.0
14          30.203       4.96
15(ST)          ∞       4.20
16         -24.665       1.00     1.69890      30.1
17          77.469       3.87     1.49700      81.6
18         -62.033       0.20
19          34.994       1.00     1.72920      54.7
20          19.967       8.74     1.49700      81.6
21         -42.559       0.49
22*      -2235.520       0.17     1.51380      53.0
23        -170.911       3.76       1.618      63.4
24         -41.665      38.46 〜43.58
25(IM)          ∞
【００７２】
非球面データ
第5面
K= 0.00000E+00
A4=-0.11294E-04
A6=-0.23155E-07
A8=-0.86729E-10
A10= 0.29792E-12
A12=-0.10728E-14
【００７３】
非球面データ
第22面
K= 0.00000E+00
A4=-0.13437E-04
A6= 0.10233E-07
A8=-0.55607E-10
A10= 2.76529E-13
A12= 0.00000E+00
【００７４】
各種データ
f     =    24.50
FNO.  =     1.86
2ω   =     84.5
y'max =     21.6
TL    =   131.78
BF    =    38.46
f1    = -4987.11
f2    =    46.70
f1a   =   -26.98
f1b   =    51.74
f1s   =    89.79
【００７５】
実施例３
単位：mm
面データ
i            r(mm)      d(mm)         Nd        νd
0(OB)           ∞         ∞ 〜98.17
1           44.716       2.00     1.77250      49.6
2           21.404      10.53
3           64.612       1.65     1.61800      63.4
4           25.081       0.13     1.51380      53.0
5*          21.084      14.36
6           72.910      12.49     1.90370      31.3
7          -24.001       3.50     1.76180      26.6
8        -6420.215       0.15
9           52.947       2.50     1.68890      31.2
10          63.368       9.42 〜4.02
11          32.107       5.14     1.69680      55.5
12         -99.920       0.63
13        5489.790       1.13     1.51820      59.0
14          29.174       4.81
15(ST)          ∞       4.25
16         -23.001       1.00     1.69890      30.1
17         104.594       3.54     1.49700      81.6
18         -57.522       0.20
19          39.423       1.00     1.72920      54.7
20          22.017       7.27     1.49700      81.6
21         -39.424       0.55
22*       -145.207       0.12     1.51380      53.0
23         -87.536       7.00     1.61800      63.4
24         -32.177      38.46 〜43.85
25(IM)          ∞
【００７６】
非球面データ
第5面
K= 0.00000E+00
A4=-0.10921E-04
A6=-0.27215E-07
A8= 0.67603E-11
A10=-0.67389E-13
A12=-0.17399E-15
【００７７】
非球面データ
第22面
K= 0.00000E+00
A4=-0.16852E-04
A6= 0.19411E-08
A8=-0.17747E-10
A10= 1.17038E-13
【００７８】
各種データ
f     =    24.58
FNO.  =     1.86
2ω   =    84.04
y'max =     21.6
TL    =   131.84
BF    =    38.46
f1    =  -333.33
f2    =    45.33
f1a   =   -24.67
f1b   =    49.29
f1s   =    55.77
【００７９】
実施例４
単位：mm
面データ
i            r(mm)      d(mm)         Nd        νd
0(OB)           ∞         ∞ 〜104.38
1           40.617       2.00     1.77250      49.6
2           20.279      10.82
3           61.020       1.65     1.61800      63.4
4           25.165       0.08     1.51380      53.0
5*          20.881      14.52
6           68.315      10.04     1.90366      31.3
7          -23.529       1.50     1.76182      26.6
8         3223.071       0.15
9           52.776       2.50     1.68893      31.2
10          59.872       9.36 〜4.38
11          31.700       4.93     1.69680      55.5
12        -107.081       0.61
13         638.554       1.00     1.51823      59.0
14          28.631       4.88
15(ST)          ∞       4.09
16         -21.838       1.00     1.69895      30.1
17         119.399       3.61     1.49700      81.6
18         -49.519       0.20
19          39.257       1.00     1.72916      54.7
20          21.717       7.09     1.49700      81.6
21         -43.658       0.52
22*       -126.060       0.12     1.51380      53.0
23         -78.726       4.24     1.61800      63.4
24         -29.306      38.46 〜43.44
25(IM)          ∞
【００８０】
非球面データ
第5面
K= 0.00000E+00
A4=-0.10527E-04
A6=-0.36577E-07
A8= 0.58633E-10
A10=-0.28305E-12
A12= 0.82210E-16
【００８１】
非球面データ
第22面
K= 0.00000E+00
A4=-0.17739E-04
A6= 0.29940E-08
A8=-0.12218E-10
A10= 1.11346E-13
【００８２】
各種データ
f     =    24.43
FNO.  =     1.86
2ω   =     84.4
y'max =     21.6
TL    =   124.37
BF    =    38.46
f1    =  -333.33
f2    =    44.08
f1a   =   -24.78
f1b   =    48.66
f1s   =    53.70
【００８３】
実施例５
単位：mm
面データ
i            r(mm)      d(mm)         Nd        νd
0(OB)           ∞         ∞ 〜99.60
1           39.237       3.00     1.77250      49.6
2           21.180      11.00
3           67.013       3.00     1.61800      63.4
4           25.217       0.04     1.51380      53.0
5*          20.453      14.47
6           61.107       9.49     1.90370      31.3
7          -26.316       2.63     1.76180      26.6
8          434.825       0.15
9           43.375       4.73     1.74080      27.8
10          42.123       8.53 〜3.06
11          32.880       5.09     1.69680      55.5
12         -78.579       0.73
13        -183.660       1.08     1.51820      59.0
14          30.959       4.62
15(ST)          ∞       4.47
16         -20.798       1.05     1.69890      30.1
17         531.625       4.03     1.49700      81.6
18         -41.278       0.20
19          36.464       1.00     1.72920      54.7
20          21.660       8.27     1.49700      81.6
21         -36.120       0.18
22*       -356.605       0.10     1.51380      53.0
23        -157.796       3.85     1.61800      63.4
24         -40.540      38.68 〜44.15       0.0
25(IM)          ∞
【００８４】
非球面データ
第5面
K= 0.00000E+00
A4=-0.11945E-04
A6=-0.31103E-07
A8=-0.17324E-10
A10= 0.27577E-13
A12=-0.50109E-15
【００８５】
非球面データ
第22面
K= 0.00000E+00
A4=-0.14568E-04
A6= 0.85925E-08
A8=-0.70050E-10
A10= 2.52141E-13
【００８６】
各種データ
f     =    24.55
FNO.  =     1.86
2ω   =    84.34
y'max =     21.6
TL    =   130.40
BF    =    38.68
f1    =  -148.31
f2    =    40.83
f1a   =   -25.88
f1b   =    51.66
f1s   =    54.91
【００８７】
実施例６
単位：mm
面データ
i            r(mm)      d(mm)         Nd        νd
0(OB)           ∞         ∞ 〜75.62
1           39.444       2.00     1.77250      49.6
2           19.366       9.45
3           41.091       1.65     1.61800      63.4
4           21.779       0.08     1.51380      53.0
5*          18.854      13.49
6          146.250      10.15     1.80150      40.6
7          -19.275       1.10     1.68400      38.9
8           87.034       0.55
9           49.110       3.52     1.84670      23.8
10         487.349       9.62 〜2.86
11          33.786       5.60     1.69680      55.5
12         -61.296       0.15
13        -542.436       3.23     1.54990      64.8
14         -29.897       1.10     1.69890      30.1
15          33.134       2.37
16(ST)          ∞       5.16
17         -18.464       3.27     1.60340      38.0
18         -37.930       0.20
19          39.960       1.00     1.72920      54.7
20          23.034       8.34     1.49700      81.6
21         -26.121       0.83
22*        -93.641       0.16     1.51380      53.0
23         -60.445       2.92     1.61800      63.4
24         -44.783      38.45 〜45.22
25(IM)          ∞
【００８８】
非球面データ
第5面
K= 0.00000E+00
A4=-0.13123E-04
A6=-0.47824E-07
A8= 0.30552E-10
A10=-0.25868E-12
A12=-0.42244E-15
【００８９】
非球面データ
第22面
K= 0.00000E+00
A4=-0.18102E-04
A6=-0.54700E-08
A8=-0.30831E-10
A10= 7.13337E-14
【００９０】
各種データ
f     =    24.16
FNO.  =     1.86
2ω   =    85.02
y'max =     21.6
TL    =   124.37
BF    =    38.45
f1    =  -250.00
f2    =    44.52
f1a   =   -25.49
f1b   =    53.25
f1s   =   260.71
【００９１】
【表１】
0006512955.tif 000002
【符号の説明】
【００９２】
ＤＵ    デジタル機器
ＬＵ    撮像光学装置
ＬＮ    広角レンズ
Ｇｒ１    第１群
Ｇｒ２    第２群
Ｇｒ１ａ    前群
Ｇｒ１ｂ    後群
Ｌ１〜Ｌ５    第１〜第５レンズ
ＬＳ    接合レンズ
ＳＴ    開口絞り（絞り面）
ＳＲ    撮像素子
ＳＳ    受光面（撮像面）
ＩＭ    像面（光学像）
ＡＸ    光軸
１    信号処理部
２    制御部
３    メモリー
４    操作部
５    表示部
【図１】
0006512955.tif 000003
【図２】
0006512955.tif 000004
【図３】
0006512955.tif 000005
【図４】
0006512955.tif 000006
【図５】
0006512955.tif 000007
【図６】
0006512955.tif 000008
【図７】
0006512955.tif 000009
【図８】
0006512955.tif 000010
【図９】
0006512955.tif 000011
【図１０】
0006512955.tif 000012
【図１１】
0006512955.tif 000013
【図１２】
0006512955.tif 000014
【図１３】
0006512955.tif 000015
【図１４】
0006512955.tif 000016
【図１５】
0006512955.tif 000017
【図１６】
0006512955.tif 000018
【図１７】
0006512955.tif 000019
【図１８】
0006512955.tif 000020
【図１９】
0006512955.tif 000021
【図２０】
0006512955.tif 000022